(57)【要約】本発明では、ＷＬＡＮ通信ノードをアドレス指定し、その所在を突き止めるための方法が開示される。広域カバレージ、最も安定した性能、および最も成熟した技術を特徴とするＧＳＭまたはＣＤＭＡが、加入者のＩＰアドレスを確認するために利用される。通信当事者の一方が、ＧＳＭまたはＣＤＭＡを介して、もう一方の当事者にデータコールを送信し（３）、システムによって処理される（６）、発コール者のＩＰアドレスを含む事前設定された情報パッケージを、その他方の当事者に送信する（５）。双方の当事者は、ＷＬＡＮにおいて、知ったＩＰアドレスに基づいてＷＬＡＮ相互接続を達成することができる。本発明の方法は、アドレス指定のために、すべてのエンド・ツー・エンド通信システム（７）にも適用することができる。本発明は、前記方法を採用する移動端末にも関する。本発明の方法は、便利かつ速やかにＷＬＡＮ通信ノードのアドレス情報を確認することができ、それによって、通信コストを削減し、加入者がより柔軟かつ便利に通信できるように、インタネットのサーバへの依存をなくすか、または少なくする。
2006508582.tif 000002
【特許請求の範囲】
【請求項１】
ＷＬＡＮ通信ノードをアドレス指定し、その所在を突き止める方法であって、そのステップは移動端末によって達成され、
無線通信システムに入り、通信加入者の各ＩＰアドレスなど、無線通信システムによって提供される前記通信加入者の動的情報を取得するステップと、
無線通信システムを介してデータコールを被コール者に送信するステップであって、前記データコールは、前記被コール者に前記動的情報に基づいて通信を行わせるために、前記動的情報を前記被コール者の移動端末に送信するステップと、
コール者の移動端末によって送信された前記情報を受信し、分析するステップとを含むことを特徴とする方法。
【請求項２】
前記受信動的情報に従ってＷＬＡＮリンクを介して通信を行うステップをさらに含むことを特徴とする請求項１に記載のＷＬＡＮ通信ノードをアドレス指定し、その所在を突き止めるための方法。
【請求項３】
前記無線通信システムを介して直接に相互接続する、すなわち、電話を繋げる（pull through）ステップをさらに含むことを特徴とする請求項１に記載のＷＬＡＮ通信ノードをアドレス指定し、その所在を突き止めるための方法。
【請求項４】
前記移動端末に前記固定情報を事前設定するステップと、
前記無線通信システムを介して前記被コール者の前記移動端末に前記固定情報を送信するステップと、
前記固定情報を受信し、分析するステップとをさらに含むことを特徴とする請求項１に記載のＷＬＡＮ通信ノードをアドレス指定し、その所在を突き止めるための方法。
【請求項５】
前記無線通信システムは、ＧＳＭシステムであることを特徴とする請求項１に記載のＷＬＡＮ通信ノードをアドレス指定し、その所在を突き止めるための方法。
【請求項６】
前記無線通信システムは、ＣＤＭＡシステムであることを特徴とする請求項１に記載のＷＬＡＮ通信ノードをアドレス指定し、その所在を突き止めるための方法。
【請求項７】
前記無線通信システムは、ＣＤＭＡ２０００システムと、ＴＤ−ＳＣＤＭＡシステムと、ＷＣＤＭＡシステムとを含む第３世代無線通信システムであることを特徴とする請求項１に記載のＷＬＡＮ通信ノードをアドレス指定し、その所在を突き止めるための方法。
【請求項８】
前記動的情報は、ネクスト・ホップのＩＰアドレスをさらに含むことを特徴とする請求項１に記載のＷＬＡＮ通信ノードをアドレス指定し、その所在を突き止めるための方法。
【請求項９】
前記固定情報は、加入者の電子メール・アドレス、応答優先度、各移動端末のＭＳＩＳＤＮ（移動局国際ＩＳＤＮ番号）、ＩＭＳＩ（移動加入者識別番号）、およびＭＡＣ（媒体アクセス制御）を含むことを特徴とする請求項１に記載のＷＬＡＮ通信ノードをアドレス指定し、その所在を突き止めるための方法。
【請求項１０】
無線通信システムにおいてサービス・プロバイダによって提供される動的情報を受信する受信手段であって、前記動的情報は通信加入者のＩＰアドレスを含む受信手段と、
前記無線通信システムを介してデータコールを被コール者に送信する送信手段であって、前記被コール者に前記動的情報に基づいてコール者と相互接続させ、通信を行わせるように、前記サービス・プロバイダによって運営される前記無線通信システムを介して前記動的情報を前記被コール者の移動端末に送信するために、前記データコールが使用される送信手段と、
前記受信手段および前記送信手段のそれぞれと動作可能に接続し、前記受信情報を分析し、処理する情報処理とを備える移動端末。
【請求項１１】
前記動的情報は、ネクスト・ホップのＩＰアドレスをさらに含むことを特徴とする請求項１０に記載の移動端末。
【請求項１２】
前記受信手段は、ＧＳＭ通信システム受信機と、ＷＬＡＮ通信システム受信機とを含むことを特徴とする請求項１０に記載の移動端末。
【請求項１３】
前記送信手段は、ＧＳＭ通信システム送信機と、ＷＬＡＮ通信システム送信機とを含むことを特徴とする請求項１０に記載の移動端末。
【請求項１４】
前記受信手段は、ＣＤＭＡ通信システム受信機と、ＷＬＡＮ通信システム受信機とを含むことを特徴とする請求項１０に記載の移動端末。
【請求項１５】
前記送信手段は、ＣＤＭＡ通信システム送信機と、ＷＬＡＮ通信システム送信機とを含むことを特徴とする請求項１０に記載の移動端末。
【請求項１６】
前記受信手段は、ＣＤＭＡ２０００システム、ＴＤ−ＳＣＤＭＡシステム、ＷＣＤＭＡシステムなど第３世代通信システムの受信機と、ＷＬＡＮ通信システム受信機とを含むことを特徴とする請求項１０に記載の移動端末。
【請求項１７】
前記送信手段は、ＣＤＭＡ２０００システム、ＴＤ−ＳＣＤＭＡシステム、ＷＣＤＭＡシステムなど第３世代通信システムの送信機と、ＷＬＡＮ通信システム送信機とを含むことを特徴とする請求項１０に記載の移動端末。
【請求項１８】
前記移動端末は、前記情報処理手段と動作可能に接続し、固定情報を事前設定するために使用されるメモリ手段をさらに備えることを特徴とする請求項１０に記載の移動端末。
【請求項１９】
前記固定情報は、加入者の電子メール・アドレス、応答優先度、各移動端末のＭＳＩＳＤＮ（移動局国際ＩＳＤＮ番号）、ＩＭＳＩ（移動加入者識別番号）、およびＭＡＣ（媒体アクセス制御）を含むことを特徴とする請求項１１に記載の移動端末。
【請求項２０】
前記受信手段は、ＧＳＭ通信システム受信機と、ＣＤＭＡ通信システム受信機と、ＷＬＡＮ通信システム受信機とを含み、前記送信手段は、ＧＳＭ通信システム送信機と、ＣＤＭＡ通信システム送信機と、ＷＬＡＮ通信システム送信機とを含み、前記移動端末は、前記情報処理手段と動作可能に接続し、前記情報処理手段の命令に従って通信システムを自動的に切り換えるために使用される切換手段をさらに備えることを特徴とする請求項１０に記載の移動端末。
【請求項２１】
前記受信手段は、ＧＳＭ通信システム受信機と、ＣＤＭＡ通信システム受信機と、ＣＤＭＡ２０００システム、ＴＤ−ＳＣＤＭＡシステム、ＷＣＤＭＡシステムなど第３世代通信システムの受信機と、ＷＬＡＮ通信システム受信機とを含み、前記送信手段は、ＧＳＭ通信システム送信機と、ＣＤＭＡ通信システム送信機と、ＣＤＭＡ２０００システム、ＴＤ−ＳＣＤＭＡシステム、ＷＣＤＭＡシステムなど第３世代通信システムの送信機と、ＷＬＡＮ通信システム送信機とを含み、前記移動端末は、前記情報処理手段と動作可能に接続し、前記情報処理手段の命令に従って前記通信システムを自動的に切り換えるために使用される切換手段をさらに備えることを特徴とする請求項１０に記載の移動端末。
【発明の詳細な説明】
【技術分野】
【０００１】
本発明は、一般に、ネットワーク通信ノードをアドレス指定し、その所在を突き止めるための方法に関し、より詳細には、ＷＬＡＮ通信ノードをアドレス指定し、その所在を突き止めるための方法に関する。当該方法は、複数の無線インタフェースを備えた携帯情報端末（ＰＤＡ）などのマルチモード移動端末に適用することができる。ネットワーク事業者およびサービス・プロバイダは、公衆無線ＬＡＮ（ＷＬＡＮ）へのルータ・サービスを提供するなど、対応するネットワーク・アプリケーション・サービスを顧客に提供することができる。本発明は、本発明の方法を取り入れた移動端末にも関する。
【背景技術】
【０００２】
１９８０年代以降、ネットワーク技術および無線通信技術が急速に発展し、そのおかげで、人々の生活が大きく様変わりした。無線通信技術をネットワーク技術と組み合わせることで、新技術、すなわち、無線ネットワーク技術が誕生した。無線ネットワークの最も重要な目的は、無線通信技術を利用して、様々なネットワーク・オンライン・サービスを加入者に提供することである。この目的を達成するため、すべての種類の無線通信技術および技術規格がさらに開発され、構成されたが、その中でも、注目すべきはＧＳＭ（グローバル移動通信システム）およびＷＬＡＮであり、ＣＤＭＡ（符号分割多元接続）にもますます注目が集まっている。
【０００３】
インタネットの発展と同様に、ＧＳＭも無線通信分野で大きな成功を収めている。ＧＳＭネットワークが世界で初めて営利目的で運用されてから、わずか１０年しか経っていないが、ＧＳＭは、１７０ヶ国を超える国々をカバーし、なおも急速に拡大する、世界で最も重要な携帯電話規格になった。ＷＬＡＮはというと、一般に、高帯域を利用できるエリア内で動作させることに依然として限られるが、近い将来には、学校、ホテル、空港、その他の人口密集エリアなど、ＷＬＡＮが有効な場所に徐々に浸透していくであろう。また、ＷＬＡＮの発展は、企業や科学技術方面により多くの機会を提供することもできる。
【０００４】
しかし、ネットワーク・システムの通常の使用および動作は、通信ノードの正確なＩＰ（インタネット・プロトコル）アドレスに基づいている。正確なＩＰアドレスの取得は、ＤＮＳ（ドメイン・ネーム・システム）サーバなど、事前設定されたサーバに主として依存しており、こうしたサーバの主要機能の１つは、通信ノードのＩＰアドレスを確認することである。しかし、移動端末がＷＬＡＮインタフェースを備えているとしても、現在、加入者は、接続されているＷＬＡＮのネットワーク・システム情報を知ることができない。
【０００５】
図１は、従来技術において、ＷＬＡＮ通信ノードをアドレス指定し、その所在を突き止める様子を示した概略図である。２つの移動端末がＷＬＡＮに基づいて通信を行うと仮定すると、これらの端末は、以下に示すステップを踏まなければならない。すなわち、最初に、各移動端末の関連情報が、特定のサーバに登録され、記録される。次に、前記サーバが、定期的にデータベースを更新し、関連情報を加入者に送信する。最後に、移動端末を使用する加入者は、サーバによって提供された受信情報に基づいてのみ、直接または間接に通信を行うことができる。上記の従来技術は、何らかのインタネットまたはＷＬＡＮネットワーク・サーバおよび事業者に強く依存しており、追加のサービス料金がかかるであろう。
【発明の開示】
【発明が解決しようとする課題】
【０００６】
したがって、本発明は、ＷＬＡＮ通信ノードをアドレス指定し、その所在を突き止めるための方法を提供しようとするものである。本発明は、前記方法を使用して、便利かつ速やかにＷＬＡＮ通信ノードのアドレス情報を決定することができ、それによって、通信コストを削減し、加入者がより柔軟かつ便利に通信できるように、インタネットのサーバへの依存をなくすか、または少なくする。
【課題を解決するための手段】
【０００７】
上述の問題を解決するため、本発明は、以下に示す技術方式を採用する。
【０００８】
移動端末によって達成される、ＷＬＡＮ通信ノードをアドレス指定し、その所在を突き止める方法であって、該方法は、
無線通信システムに入り、通信加入者の各ＩＰアドレスなど、無線通信システムによって提供される通信加入者の動的情報を取得するステップと、
無線通信システムによってデータコールを被コール者に送信するステップであって、前記データコールは、上述の動的情報を被コール者の移動端末に送信することを意味するステップと、
前記動的情報を受信し、分析するステップとを含む。
【０００９】
当該方法は、ＷＬＡＮによって通信を接続するステップ、または受信した動的情報に基づいて無線通信システムによって直接に相互接続するステップ、すなわち、コールを引き通す（pulling through）ステップをさらに含み、
あるいは前記方法は、
移動端末に固定情報を事前設定するステップと、
無線通信システムを介して上述した固定情報を被コール者の移動端末に送信するステップと、
前記固定情報を受信し、分析するステップとをさらに含む。
【００１０】
前記無線通信システムは、ＧＳＭ、もしくはＣＤＭＡ、またはＣＤＭＡ２０００システムと、ＴＤ−ＳＣＤＭＡシステムと、ＷＣＤＭＡシステムとを含む第３世代無線通信システムである。前記動的情報は、ネクスト・ホップのＩＰアドレスをさらに含む。前記固定情報は、加入者の電子メール・アドレス、応答優先度、各移動端末のＭＳＩＳＤＮ（移動局国際ＩＳＤＮ番号）、ＩＭＳＩ（移動加入者識別番号）、およびＭＡＣ（媒体アクセス制御）を含む。
【００１１】
移動端末は、無線通信システムにおいてサービス・プロバイダによって提供される動的情報を受信する受信手段であって、前記動的情報は通信加入者のＩＰアドレスを含む受信手段と、無線通信システムを介してデータコールを被コール者に送信する送信手段であって、前記データコールは、被コール者に前記動的情報に基づいてコール者と通信を行わせるように、サービス・プロバイダによって操作される無線通信システムを介して上述した動的情報を被コール者の移動端末に送信することを意味する送信手段と、前記受信手段および送信手段のそれぞれと動作可能に接続し、受信した動的情報を分析し、処理する情報処理手段とを備える。
【００１２】
前記動的情報は、ネクスト・ホップ（Next hop）のＩＰアドレスをさらに含む。本発明の移動端末の第１の実施形態においては、前記受信手段は、ＧＳＭ通信システム受信機と、ＷＬＡＮ通信システム受信機とを含み、前記送信手段は、ＧＳＭ通信ネットワーク・システム送信機と、ＷＬＡＮ通信システム送信機とを含む。第２の実施形態においては、前記受信手段は、ＣＤＭＡ通信システム受信機と、ＷＬＡＮ通信システム受信機とを含み、前記送信手段は、ＣＤＭＡ通信システム送信機と、ＷＬＡＮ通信システム送信機とを含む。第３の実施形態においては、前記受信手段は、ＣＤＭＡ２０００システム、ＴＤ−ＳＣＤＭＡシステム、ＷＣＤＭＡシステムなど第３世代通信システムの受信機と、ＷＬＡＮ通信システム受信機とを含み、前記送信手段は、ＣＤＭＡ２０００システム、ＴＤ−ＳＣＤＭＡシステム、ＷＣＤＭＡシステムなど第３世代通信システムの送信機と、ＷＬＡＮ通信システム送信機とを含む。第４の実施形態においては、前記受信手段は、ＧＳＭ通信システム受信機と、ＣＤＭＡ通信システム受信機と、ＷＬＡＮ通信システム受信機とを含み、前記送信手段は、ＧＳＭ通信システム送信機と、ＣＤＭＡ通信システム送信機と、ＷＬＡＮ通信システム送信機とを含み、前記移動端末は、情報処理手段と動作可能に接続し、情報処理手段の命令に従って通信システムを自動的に切り換えるのに使用される切換手段をさらに備える。第５の実施形態においては、前記受信手段は、ＧＳＭ通信システム受信機と、ＣＤＭＡ通信システム受信機と、ＣＤＭＡ２０００システム、ＴＤ−ＳＣＤＭＡシステム、ＷＣＤＭＡシステムなど第３世代通信システムの受信機と、ＷＬＡＮ通信システム受信機とを含み、前記送信手段は、ＧＳＭ通信システム送信機と、ＣＤＭＡ通信システム送信機と、ＣＤＭＡ２０００システム、ＴＤ−ＳＣＤＭＡシステム、ＷＣＤＭＡシステムなど第３世代通信システムの送信機と、ＷＬＡＮ通信システム送信機とを含み、前記移動端末は、情報処理手段と動作可能に接続し、情報処理手段の命令に従って通信システムを自動的に切り換えるのに使用される切換手段をさらに備える。
【００１３】
本発明の移動端末は、前記情報処理手段と動作可能に接続し、固定情報を事前設定するのに使用されるメモリ手段をさらに備え、前記固定情報は、加入者の電子メール・アドレス、応答優先度、各移動端末のＭＳＩＳＤＮ（移動局国際ＩＳＤＮ番号）、ＩＭＳＩ（移動加入者識別番号）、およびＭＡＣ（媒体アクセス制御）を含む。
【００１４】
従来技術と比べて、本発明は、上述の方式を採用することによって、以下に示す利点を有する。
【００１５】
広域カバレージ、最も安定した性能および最も成熟した技術を特徴とするＧＳＭ、または、現在急速に発展しているＣＤＭＡが、加入者のＩＰアドレスを決定するために、本発明で採用される。サーバ、基地局、データ交換局など、２つのシステムの豊富な通信資源を使用することによって、ＷＬＡＮ通信ノードのアドレス情報を便利かつ速やかに決定することができ、それによって、通信コストを削減し、加入者がより柔軟かつ便利に通信できるように、インタネットのサーバへの依存をなくすか、または少なくする。
【発明を実施するための最良の形態】
【００１６】
以下、添付の図面を参照しながら、本発明を詳細に説明する。
【００１７】
例えば、音声対話などの等価なサービスでは、主たる問題は、通信ノードのアドレスの確認にあり、ＧＳＭでこれを行うのは簡単だが、ＷＬＡＮでは簡単にはいかない。ＧＳＭシステムでは、アドレス指定およびその所在の突止め（発見）は、移動通信交換局（ＭＳＣ）にあるビジタ・ロケーション・レジスタ（ＶＬＲ）およびホーム・ロケーション・レジスタ（ＨＬＲ）のデータベースに主に依存している。
【００１８】
図２に示すように、ＷＬＡＮは、より高い帯域を有するので、電子メール、オンライン・ゲーム、マルチメディア・サーフィングなどの便利かつ高速な相互接続データ通信サービスを加入者に提供することができる。最も広域なカバレージ・エリアをもち、最も成熟した技術であるＧＳＭは、主に信号伝達システムとして、ルータの呼び出し、アドレス指定およびその所在の突止め、およびサービス選択などの信号送信サービスを実行する。音声通信やＩＰ音声通信などのリアル・タイム通信サービスに関しては、ＷＬＡＮとＧＳＭの両方を利用することができる。
【００１９】
したがって、異なるカバレージ・エリアおよびバンド帯域の特徴に基づいて、ＧＳＭとＷＬＡＮとを融合させることによって、互いを補完し合うことができる。現在、複数の無線インタフェースを備えるマルチ・サービス加入者端末が市販されている。本発明は、前記加入者端末に基づいている。
【００２０】
図３および図４に示すように、通信当事者をＡおよびＢとし、複数の無線インタフェースを備えるそれぞれの移動端末Ａ１００およびＢ２００は、ＧＳＭインタフェース１０２、２０２、およびＷＬＡＮインタフェース１０１、２０１を備えるものと仮定する。無線インタフェースは、無線通信システムの受信機および送信機を含み、移動端末は、無線インタフェースと動作可能に接続し、受信した情報を分析し、処理する情報処理手段を備える。
【００２１】
ＡおよびＢは、ＧＳＭに基づくデータコールの場合、電子メール・アドレスや応答優先度など、情報パッケージの固定内容を事前設定する（ステップ１）。この固定内容は、各移動端末のＭＳＩＳＤＮ（移動局国際ＩＳＤＮ番号）、ＩＭＳＩ（移動加入者識別番号）、およびＭＡＣ（媒体アクセス制御）をさらに含んでいてもよい。その時点で、２つの移動端末は、ターンオン接続され、登録され、ＩＰアドレスやネクスト・ホップのＩＰアドレスなど、ＷＬＡＮから動的情報を取得し、または更新する（ステップ２）。ＡがＢとの通信を希望する場合、ＡはＧＳＭデータコールを送信する（ステップ３）。Ａがアイドル状態にあっても、オンライン状態にあっても、ＡはＧＳＭに基づくデータコールを開始することができる。その時点では、固定内容およびＷＬＡＮから取得または更新された動的情報に従い、例えば、設定された情報パッケージは、コール者のＩＰアドレス、ＭＳＩＳＤＮ（移動局国際ＩＳＤＮ番号）、ＩＭＳＩ（移動加入者識別番号）、ＭＡＣ（媒体アクセス制御）、ネクスト・ホップのＩＰアドレス、電子メール・アドレス、および応答優先度などを含み、Ａの移動端末は、信号伝達システムＧＳＭを介して、上記の情報を含む情報パッケージをＢの移動端末に送信する（ステップ５）。Ｂの移動端末は、受信した情報パッケージの内容を表示するが、それは、電話コールが利用できる場合の電話番号表示に類似している。情報パッケージの内容は、Ｂの移動端末によって分析される（ステップ６）。そのとき、Ｂは、情報パッケージの内容に従って、Ａの受信ＩＰアドレスを使用して応答モードを選択することができ（ステップ７）、被コール者Ｂが、ＷＬＡＮを用いて直接Ａと通信するか（ステップ９）、それともＧＳＭを用いて直接接続するか、すなわち、コールに接続またはコールを継続するか（ステップ８）、それともＧＳＭを用いてデータコールをＡに返信するか（ステップ１０）を決定することができ、次いで、Ａは、ＧＳＭを用いてＢによって送信された情報パッケージを受信し、分析して、ＢのＩＰアドレスを取得し、ＷＬＡＮを介してＢと通信する（ステップ１１）。
【００２２】
Ｂの移動端末がＷＬＡＮで使用できない場合、Ｂはコールを受信することができるだけである。Ｂの移動端末が、ＧＳＭのカバレージ・エリアに存在すると同時に、ＷＬＡＮのホット・スポットにも存在する場合、ユーザは、経済性、利便性、および個人的好みを考慮して、ＷＬＡＮとＧＳＭのどちらを用いてＡと直接通信を行うかを選択することができる。
【００２３】
Ａの移動端末は、アイドル状態にあっても、Ｂと接続されたオンライン状態にあっても、ＧＳＭに基づいたデータコールを開始することができる。ＡのＩＰアドレスを受信し、分析した後、Ｂは、使用中のＧＳＭ会話をＷＬＡＮ通信に切り換えることができ、ホット・エリアから出る必要がある場合、またはその他の必要がある場合、Ｂは、情報パッケージのその他の情報に基づいて、ＷＬＡＮ通信をＧＳＭ会話に切り換えることができる。
【００２４】
上述の情報パッケージは、加入者のＩＰアドレス、ＭＳＩＳＤＮ（移動局国際ＩＳＤＮ番号）、ＩＭＳＩ（移動加入者識別番号）、ＭＡＣ（媒体アクセス制御）、ネクスト・ホップのＩＰアドレス、電子メール・アドレス、および応答優先度などの情報をすべて選択することができ、上記の情報内容のうちの一部を組み合わせたものとすることもできるが、加入者のＩＰアドレスは必ず含まなければならず、例えば、加入者のＩＰアドレス、ＭＳＩＳＤＮナンバ（移動局国際ＩＳＤＮ番号）、ＭＡＣ（媒体アクセス制御）などを、情報パッケージに設定することができる。
【００２５】
ここで、移動局国際ＩＳＤＮ番号が、他の相手に電話をかけるのに使用できる電話番号である場合、個人プライバシを含んでいるが、移動加入者識別番号も、セキュリティ認証、すなわち認証に使用することができ、取得したネクスト・ホップのＩＰアドレスは、ファイア・ウォールまたは企業のイントラネットを通過するために、また、アドレスを分析するのに使用することができ、ＭＡＣ（媒体アクセス制御）は、加入者識別番号のセキュリティ認証に使用することができ、電子メール・アドレスは、メール交換の手段として使用することができる。
【００２６】
加入者によって使用される移動端末は、複数の機能を備え、掛けられた電話は、４つのカテゴリに分類することができる。第１のものは、ＧＳＭ電話でだけ使用され、第２のものは、１１０番、１１９番および１２０番などの緊急時通話であり、第３のものは、固定電話宛の通話であり、第４のものは、ＷＬＡＮおよびＧＳＭ電話で使用される。最初の３つの電話に関しては、加入者のコールは、現在の移動通信端末のコールと同じであり、ＧＳＭ基地局を介してコールを転送し、移動交換局でコールを交換し、これらの電話は被コール者の通信端末に接続される。一方、加入者が第４の電話を掛けた場合、この移動端末は、同時にデータコール要求を被コール者に自動的に送信することができ、次にコール者に関する情報が事前設定された情報パッケージを送信することができる。前記情報パッケージは、コール者と柔軟に接続するためにＷＬＡＮまたはＧＳＭを被コール者が選択できるように、少なくともコール者のＩＰアドレスを含まなければならない。一般に、加入者は、加入者が属するエリアに従い、関連した選択を行うことができる。加入者が、学校、ホテル、空港、その他の人口密集エリアなど、ＷＬＡＮのホット・エリアにおり、通信料金および情報内容を考慮して、被コール者にＷＬＡＮを適用してもらう必要がコール者にある場合、被コール者は、信号伝達システムＧＳＭによって送信された、解析された情報パッケージに従って、コール者のＩＰアドレスおよび詳細情報を知ることができ、その後、ＷＬＡＮに基づいて発コール者と通信することができる。
【００２７】
図５に示されているように、ＷＬＡＮ通信ノードをアドレス指定し、その所在を突き止めるための本発明の方法は、ＣＤＭＡを信号伝達システムとして用いても、通信ノードのＩＰアドレスをアドレス指定し、それを確認することができる。本発明の移動端末の第２の実施形態では、通信者の移動端末は、ＣＤＭＡ無線インタフェースを備えている必要があり、このインタフェースは、無線通信システムの受信機と送信機とを含む。ここで、コール者がＣＤＭＡシステムを用いて相手に電話を掛けた場合、ＣＤＭＡシステムは、自動的にデータコールを要求され、コール者に関する情報が事前設定された情報パッケージが、被コール者に送信される。関連する情報パッケージを受信し、分析した後、被コール者は、コール者と柔軟に接続するためにＷＬＡＮまたはＣＤＭＡを選択することができる。
【００２８】
同様に、ＷＬＡＮ通信ノードをアドレス指定し、その所在を突き止めるための本発明の方法は、ＣＤＭＡ２０００、ＴＤ−ＳＣＤＭＡ、ＷＣＤＭＡなど、第３世代通信システムを信号伝達システムとして用いても、通信ノードのＩＰアドレスをアドレス指定し、これを確認することができる。本発明の移動端末の第３の実施形態では、通信者の移動端末は、第３世代通信システムの無線インタフェースを備える必要があり、このインタフェースは、無線通信システムの受信機と送信機とを含む。ここで、コール者が第３世代通信システムを用いて相手に電話を掛けた場合、前記システムは、自動的にデータコールを要求され、コール者に関する情報が事前設定された情報パッケージが、被コール者に送信される。関連する情報パッケージを受信し、分析した後、被コール者は、発コール者と柔軟に接続するためにＷＬＡＮまたは第３世代通信システムを選択することができる。
【００２９】
さらに、本発明の移動端末の第４の実施形態によれば、ＷＬＡＮインタフェース、ＧＳＭインタフェース、およびＣＤＭＡインタフェースなどを含む複数の無線通信インタフェースを備える移動端末を適用することができる。この移動端末は、情報処理手段と動作可能に接続し、情報処理手段の命令に従って通信システムを自動的に切り換えるために使用される切換手段をさらに備える。
【００３０】
この移動端末は、ＷＬＡＮとＣＤＭＡとの間の電話、およびＷＬＡＮとＧＳＭとの間の電話で使用するために、それぞれ設定することができる。ＡがＧＳＭを介してＢに電話を掛ける場合、Ａは、データコールの要求をＧＳＭに自動的に送信し、次にコール者についての情報が事前設定された情報パッケージを被コール者に送信する。情報パッケージは、少なくともＡのＩＰアドレスを含まなければならない。上記のシステムが、被コール者Ｂと接続できない場合、移動端末は、Ｂに電話を掛けられるように、ＣＤＭＡシステムに自動的に切り換え、次にデータコールの要求をＣＤＭＡシステムに送信し、次にコール者についての情報が事前設定された情報パッケージを被コール者に送信することができる。情報パッケージは、少なくともＡのＩＰアドレスを含まなければならない。代替的に、最初にＧＳＭを介して電話を掛け、次にＣＤＭＡを適用することもできる。
【００３１】
本発明の移動端末の第５の実施形態によれば、ＷＬＡＮインタフェース、ＧＳＭインタフェース、ＣＤＭＡインタフェース、および第３世代通信システムの無線インタフェースを備える移動端末を適用することができる。この無線インタフェースは、無線通信システムの受信機と送信機とを含む。この移動端末は、情報処理手段と動作可能に接続し、情報処理手段の命令に従って通信システムを自動的に切り換えるために使用される切換手段をさらに備える。
【００３２】
考えられている本発明の方法は、エンド・ツー・エンド（end-to-end）・アプリケーションのすべてのアドレス指定にも適用することができる。関連するＩＰプロトコルは、ＩＰＶ４およびＩＰＶ６に該当する。考えられている通信システムには、任意の成熟した、発展中の、および将来の通信システムが含まれるものとする。
【００３３】
本発明の具体的な実施形態を示し、説明してきたが、本発明の主旨または範囲から逸脱することなく、本発明に様々な変更および変形を施すことができることは、当業者には明らかであろう。したがって、本発明の変更および変形が添付の特許請求の範囲およびそれらの均等物の範囲に含まれるのであれば、本発明はそれらを包含するものとする。
【図面の簡単な説明】
【００３４】
【図１】従来技術においてＷＬＡＮ通信ノードをアドレス指定し、その所在を突き止める様子を示した概略図である。
【図２】本発明が関係する無線サービスのカテゴリ表である。
【図３】ＷＬＡＮ通信ノードをアドレス指定し、その所在を突き止めるための本発明による方法のフローチャートである。
【図４】ＧＳＭを使用して、ＷＬＡＮ通信ノードをアドレス指定し、その所在を突き止めるための本発明による方法の概略ブロック図である。
【図５】ＣＤＭＡを使用して、ＷＬＡＮ通信ノードをアドレス指定し、その所在を突き止めるための本発明による方法の概略ブロック図である。
【図１】
2006508582.tif 000003
【図２】
2006508582.tif 000004
【図３】
2006508582.tif 000005
【図４】
2006508582.tif 000006
【図５】
2006508582.tif 000007
【国際調査報告】
2006508582.tif 000008
2006508582.tif 000009
2006508582.tif 000010